(57)【要約】      （修正有）【課題】１本の直線に引き裂き可能な一字形引き裂き複合膜を提供する。【解決手段】一字形引き裂き複合膜は、プラスチックフィルムａ１とプラスチックフィルムｂとを含み、プラスチックフィルムａ１とプラスチックフィルムｂとは、接着により１つの複合膜を形成する。プラスチックフィルムａ１において「＜」、「＞」状の切欠き１１や、三角形の孔、横方向が弾丸状である孔を有し、かつ鋭い一端１４が広い一端１５に向けて順次に配列し、中間に間隔１６がある。それがプラスチックフィルム１において１本または複数本の平行に配列している。【選択図】図２
0003200379.tif 000002
【実用新案登録請求の範囲】
【請求項１】
一字形引き裂き複合膜であって、プラスチックフィルムａとプラスチックフィルムｂとがからなり、プラスチックフィルムａにおいて１本の連続的に配列する「＜」、「＞」状の切欠き、横方向が三角形、弾丸状である孔を有し、プラスチックフィルムｂが１つの完全のプラスチックフィルムであり、かつプラスチックフィルムａと結合して１つの複合膜になり、プラスチックフィルムａにおける切欠きまたは孔が１本の直線に配列し、かつ一定の間隔を有し、配列方式が鋭い一端が広い一端に向けることを特徴とする一字形引き裂き複合膜。
【請求項２】
プラスチックフィルムａが１つの包装に用いられる時に１本または複数本の平行した「＜」、「＞」状の切欠きバーや、横方向が三角形、弾丸状である孔バーを有し、外側のエッジにさらに切欠きが設けられ、複合膜の引き裂きをガイドすることに用いられ、それと同時に複合膜とは引き裂き方向が一致することを特徴とする請求項１に記載の一字形引き裂き複合膜。
【請求項３】
プラスチックフィルムａにおける切欠きまたは孔が一端が鋭く、他端が広い構成であることを特徴とする請求項２に記載の一字形引き裂き複合膜。
【考案の詳細な説明】
【技術分野】
【０００１】
本案は一字形引き裂き複合膜に関する。
【背景技術】
【０００２】
従来、市場には多くの包装はプラスチックフィルムを採用して包装し、それが清潔であり、使用が便利である。最も新型の機能を有するのはＰＥジップロックバッグであり、それは包装を引き裂いた後に１本の直線になり、包装内の内側シールが繰り返して開閉することができる。このように、気密性がよく、食物の安全、清潔を保証する。しかし、その構成は内側シールを失うと、プラスチックフィルムを１本の直線に引き裂くことができない
【０００３】
それはＰＥジップロックバッグなどの製品または伝統の「一字形引き裂き」膜と比べると、それは機能アセンブリを増加する必要がなく、それと同時にシール性がよく一体に結合し、従来の製品がアセンブリが必要であったり、シール性がない問題を克服する。  
【考案の概要】
【考案が解決しようとする課題】
【０００４】
本案の目的は一字形引き裂き複合膜を提供し、プラスチックフィルム自体は１本の直線に引き裂き可能な効果を有し、この複合プラスチックフィルムの包装を引き裂くことで、必ず１本の完全の直線である。
【課題を解決するための手段】
【０００５】
前記目的を実現するために、本案は以下の技術方案を提供する。一字形引き裂き複合膜は、プラスチックフィルムａにおける切欠きまたは孔は一端が鋭く、他端が広い構成であり、つまり、プラスチックフィルムａにおいて１本の連続的に配列する「＜」、「＞」状の切欠き、三角形の孔、横方向が弾丸状である孔を有し、プラスチックフィルムｂが１つの完全のプラスチックフィルムであり、かつプラスチックフィルムａと結合して１つの複合膜になり、プラスチックフィルムａにおける切欠きまたは孔が１本の直線に配列し、かつ一定の間隔を有し、配列方式は鋭い一端が広い一端に向けることである。
【０００６】
さらに、プラスチックフィルムａが１つの包装に用いられる時に、１本または複数本の平行に配列した、横方向が「Ｖ」字状である切欠きバーまたは横方向が三角形、弾丸状である孔バーを有する。
【０００７】
さらに、外側のエッジには１つの切欠きが設けられて複合膜の引き裂きをガイドすることに用いられる。
【０００８】
さらに、包装に用いられる時に、１本または複数本の平行した切欠きバーまたは孔バーは外側のエッジにおける切欠きとは引き裂き方向に一致する。
【０００９】
さらに、外側のエッジ切欠きは「＜」、「＞」状の切欠き、三角形の孔、横方向が弾丸状である孔の広い一端に向ける。
【００１０】
さらに、「＜」、「＞」状の切欠きは、左から右まで「＞＞＞＞＞＞」横方向に連続的に配列した１本の直線になるように配列される。
【００１１】
さらに、一字形引き裂き複合膜はそのほかの単一または複合プラスチックフィルムと結合して使用してもよく、単独に包装膜として使用してもよい。
【００１２】
さらに、プラスチックフィルムａは案内機能付きのプラスチックフィルムとして使用することができる。
【００１３】
さらに、プラスチックフィルムｂは単独のプラスチックフィルムまたは機能性付きの複合包装膜であり、例えば、アルミニウム蒸着膜である。
【００１４】
さらに、プラスチックフィルムａとプラスチックフィルムｂとは通常、接着剤により複合膜として結合する。
【００１５】
さらに、プラスチックフィルムａの一面がプラスチックフィルムｂと結合した後に、さらにプラスチックフィルムａの他面に対して塗膜をつけて完全に包装する効果に達する。
【００１６】
さらに、通常、プラスチックフィルムはカラー印刷する必要があるが、食品包装として複数層複合または真空アルミめっきなどのプロセス操作を行う必要がある。
【００１７】
さらに、プラスチックフィルムは工業には生産方法が圧延法および押出し法を有し、押出し法が押出しインフレーションフィルムに分かれる。
【００１８】
さらに、押出しキャストし、押出し引張り（二次成形とも称する）など、圧延法は主にあるポリ塩化ビニル膜の生産に用いられる。
【００１９】
さらに、普通のプラスチックフィルムはポリエチレン（PE）、ポリ塩化ビニル（PVC）、ポリスチレン(PS)、ポリエステルフィルム（PET）、ポリプロピレン（PP）、ナイロンなどを含む。
【考案の効果】
【００２０】
本案のよい効果は、一字形引き裂き複合膜は構造を改良することで、自体が引き裂く時に１本の直線を保持する効果を有することにある。膜に対して複合処理を行うことで、プラスチックフィルムがよいシール性を有し、孔があるので膜のシール性を低下させることがしない。一字形引き裂き複合膜は機能付きの補助膜与として包装における複合膜と結合して使用することができ、独立のプラスチックフィルム包装として使用することもできる。それは生産コストが低く、生産加工が容易であり、かつシール性がよい。
【図面の簡単な説明】
【００２１】
【図１】本案の断面構成を模式的に示す図である。
【図２】本案の平面構成を模式的に示す図である。
【図３】本案の平面構成を模式的に示す図である。
【図４】本案の平面構成を模式的に示す図である。
【図５】本案の断面構成を模式的に示す図である。
【図６】本案の立体構成を模式的に示す図である。
【考案を実施するための形態】
【００２２】
以下、図面および具体的な実施形態を参照しながら、本案をさらに詳しく説明する。
【００２３】
図１〜６に示すように、一字形引き裂き複合膜は、プラスチックフィルムａ１とプラスチックフィルムｂ２とを含み、プラスチックフィルムａ１とプラスチックフィルムｂ２とは、接着により１つの複合膜３を形成する。プラスチックフィルムａ１において「＜」、「＞」状の切欠き１１や、三角形の孔１２、横方向が弾丸状である孔１３を有し、かつ鋭い一端１４が広い一端１５に向けて順次に配列し、中間に間隔１６がある。それがプラスチックフィルム１において１本または複数本の平行に配列している。
【００２４】
複合膜３が機能付きの補助膜として用いられる時に、それは、そのほかの膜４と新しい複合膜多機能複合膜５を合成し、例えば、複合膜３とアルミニウム蒸着膜とが再び結合し、機能性の複合アルミニウム蒸着膜、すなわち、多機能複合膜５を形成する。
【００２５】
複合膜３が１つの包装袋６を包装する時に、包装袋６の開口位置に外側のエッジ切欠き６１が設けられる。外側のエッジ切欠き６１はいずれも「＜」、「＞」状の切欠き１１や、三角形の孔１２または横方向が弾丸状である孔１３の広い一辺１５に向け、かつそれらの引き裂き方向が一致である。外側のエッジ切欠き６１が包装袋の頂部位置に位置し、切欠きが通常に、１つだけであり、左辺または右辺に位置する。
【符号の説明】
【００２６】
１  プラスチックフィルムａ
１１  「＜」、「＞」状の切欠き
１２  三角形の孔
１３  横方向が弾丸状である孔
１４  鋭い一端
１５  広い一端
１６  間隔
２  プラスチックフィルムｂ
３  複合膜
４  そのほかの膜
５  多機能複合膜
６  包装袋
６１  外側のエッジ切欠き
【図１】
0003200379.tif 000003
【図２】
0003200379.tif 000004
【図３】
0003200379.tif 000005
【図４】
0003200379.tif 000006
【図５】
0003200379.tif 000007
【図６】
0003200379.tif 000008